(57)【特許請求の範囲】
【請求項１】
バルコニーの外側に設けられた外壁の内側に、窓、出入口等として使用される開口部を開閉する複数種類の開閉扉を収納可能に設けてなり、
前記開閉扉は前記外壁と平行に水平方向に移動することにより、前記開口部または外壁の内側に選択的に位置して、前記開口部を開閉可能に構成されており、
前記複数種類の開閉扉の全てが、前記外壁と平行に水平方向のみに移動することにより同時に外壁の内側に収納され、
前記外壁が、前記バルコニーの開口方向両端部から離間して設けられ、
前記開閉扉を収納してなる前記外壁の両端部側から、前記開閉扉が出し入れ可能であることを特徴とする住宅。
【請求項２】
請求項１記載の住宅において、前記開閉扉が収納される外壁より内側にバルコニーが形成され、このバルコニーの開口部が前記開閉扉によって開閉可能に構成されていることを特徴とする住宅。
【請求項３】
請求項１または２記載の住宅において、前記複数種類の開閉扉のうち、最も外側に位置する開閉扉が、厚さ方向に貫通する多数の細かい開口またはスリットが形成された化粧扉であることを特徴とする住宅。
【請求項４】
請求項１から３のいずれかに記載の住宅において、前記複数種類の開閉扉が、厚さ方向に貫通する多数の細かい開口またはスリットが形成された化粧扉と、サッシ、障子、カーテン、板戸のうちの少なくとも１種類の開閉扉とで構成されていることを特徴とする住宅。
【請求項５】
請求項１から４のいずれかに記載の住宅において、１階部分の開口部を開閉する開閉扉の下縁部が、床面より下方に位置していることを特徴とする住宅。
【発明の詳細な説明】
【０００１】
【産業上の利用分野】
本発明は都市型の住宅に係り、特に、建物本体の出入口、窓等の開口部を開閉する複数種類の開閉扉を設け、所望の開閉扉を適宜選択することにより、住宅の外観の表情を変えることができるものに関する。
【０００２】
【従来の技術】
例えば、大都市圏において住宅を建築する場合、一般に、敷地面積がさほど広くないために、建蔽率の制限いっぱいで建築する場合がある。この場合、住宅は隣接敷地の住宅にかなり近接するとともに、敷地に面した道路にも近接することになる。したがって、このような住宅においては、道路に面した部分以外は、隣接する敷地の住宅等に近接しているために、住宅の前部、すなわち、道路に面した壁部に、バルコニーや比較的大きい窓等の開口部を形成して採光や通風を確保したいという要望がある。
【０００３】
【発明が解決しようとする課題】
しかしながら、従来の住宅において、道路に面している部分の開口部を大きく形成すると、道路を行き来する人から住宅内が丸見えとなりがちで、特に、窓等から内部を覗かれてしまうという問題がある。
また、窓等には、カーテンやその他の置物等が配設される場合が多く、しかも開口部を大きくとると、内部の建具等も見えてしまうので、住宅を道路側から見た外観意匠性が悪いものとなってしまうという問題もある。
さらに、従来の住宅にあっては、住宅の表情が、道路に面した外壁や、この外壁に形成された出入口や窓等の開口部の形状、配置によって決まるが、上述したように、開口部を大きくとると、道路に面した部分の外壁が開口部によって占有されて、住宅の表情として乏しいものとなってしまうという問題もある。
【０００４】
本発明は上記事情に鑑みてなされたもので、建物本体に出入口、窓等の開口部を大きくとっても、外部から内部の様子を直接覗かれることがなく、また外観意匠性も高く、さらに、住宅としての表情が豊かな住宅を提供することを目的としている。
【０００５】
【課題を解決するための手段】
上記目的を達成するために、本発明の請求項１の住宅は、バルコニーの外側に設けられた外壁の内側に、窓、出入口等として使用される開口部を開閉する複数種類の開閉扉を収納可能に設けてなり、前記開閉扉は前記外壁と平行に水平方向に移動することにより、前記開口部または外壁の内側に選択的に位置して、前記開口部を開閉可能に構成されており、前記複数種類の開閉扉の全てが、前記外壁と平行に水平方向のみに移動することにより同時に外壁の内側に収納され、前記外壁が、前記バルコニーの間口方向両端部から離間して設けられ、前記開閉扉を収納してなる前記外壁の両端部側から、前記開閉扉が出し入れ可能である構成としたものである。
【０００６】
請求項２の住宅は、請求項１において、前記開閉扉が収納される外壁より内側にバルコニーを形成し、このバルコニーの開口部を前記開閉扉によって開閉可能に構成したものである。
【０００７】
請求項３の住宅は、請求項１または２において、前記複数種類の開閉扉のうち、最も外側に位置する開閉扉を、厚さ方向に貫通する多数の細かい開口またはスリットが形成された化粧扉で構成したものである。
【０００８】
請求項４の住宅は、請求項１から３のいずれかにおいて、前記複数種類の開閉扉を、厚さ方向に貫通する多数の細かい開口またはスリットが形成された化粧扉と、サッシ、障子、カーテン、板戸のうちの少なくとも１種類の開閉扉とで構成したものである。
【０００９】
請求項５の住宅は、請求項１から４のいずれかににおいて、１階部分の開口部を開閉する開閉扉の下縁部を、床面より下方に位置させたものである。
【００１０】
【作用】
請求項１記載の住宅にあっては、建物本体に形成された開口部を、複数種類の開閉扉から適宜選択された開閉扉によって閉鎖することによって、開閉扉の種類に応じた、建物としての表情を表現することができるとともに、開閉扉によって建物本体内部が直接見えることがないのでプレイバシー性を確保でき、さらには、内部の建具等が直接見えることがないので、外観意匠性を高めることもできる。また、全ての開閉扉を建物本体の外壁の内側に収納することにより、開口部が完全に開放した状態となり、採光性、通風性を最大限に確保することができる。
【００１１】
請求項２記載の住宅にあっては、バルコニーの開口部を開閉扉によって閉鎖することによって、バルコニー領域が外部とは遮断された部屋となり、この部屋をバルコニー以外の目的で使用することができ、また、この部屋と、当該部屋に隣接する部屋とを連通させることにより、新たな広い部屋として使用することができる。
【００１２】
請求項３記載の住宅にあっては、複数種類の開閉扉のうち、最も外側に位置する開閉扉を、厚さ方向に貫通する多数の細かい開口またはスリットが形成された化粧扉で構成し、この化粧扉で窓等の開口部を閉鎖することによって、建物本体内部が外側からは直接見えないのは勿論のこと、前記開口またはスリットによって、通風性、採光性を十分に確保することができ、しかも、前記開口部が化粧壁によって覆われて、スッキリとしたデザインとなり、住宅としての外観意匠性を高めることができる。
【００１３】
請求項４記載の住宅にあっては、前記複数種類の開閉扉を、厚さ方向に貫通する多数の細かい開口またはスリットが形成された化粧扉と、サッシ、障子、カーテン、板戸のうちの少なくとも１種類の開閉扉とで構成し、必要に応じて適宜開閉扉を選択して開口部を開閉することによって、当該開口部において、通風性、防風雨性、採光性、遮光性、防犯性等の機能を適宜確保することができる。
【００１４】
請求項５記載の住宅にあっては、１階部分の開口部を開閉する開閉扉の下縁部を、床面より下方に位置させることによって、床面の外縁部にサッシ枠等の部材を設ける必要がないので、床面の外縁部を平らにしてスッキリさせることができる。
【００１５】
【実施例】
以下、図面を参照して本発明の住宅の実施例を説明する。
図１から図５は第１実施例を示すものであり、これらの図において符号１は建物本体を示す。この建物本体１は、予め、工場等において、芯材を枠組することにより枠体を形成し、該枠体の少なくとも一面に面材を貼設することにより床パネル、壁パネル、天井パネル、屋根パネル等を製造し、建築現場にて、これらのパネルを組み付けていくことにより建築されたものである。
【００１６】
前記建物本体１は２階建てのもので、１階部分には、図１に示すように、北東側にキッチン２ａを備えたダイニングルーム２が配設され、このダイニングルーム２の南側に隣接して、居間３が配設されている。また、北西側には浴室４、洗面室５、トイレ６等の水回り区画が集中して配設され、この水回り区画の南側には和室７が配設されている。この和室７の南側には、板張りの縁側８が配設されている。前記和室７とダイニングルーム２との間には廊下９と階段１０が配設されており、廊下９の南側には玄関１１が配設されている。
【００１７】
前記玄関１１は、建物本体１の前部の外壁１２から奥まった部位に玄関扉１１ａが配置されたもので、玄関扉１１ａ前はエントランス部１１ｂとされている。前記外壁１２，１２は、図１、図３および図４に示すように、建物本体１の前部において、玄関１１を挟む位置に上下に延在して設けられたもので、芯材を枠組することにより枠体を形成し、該枠体の両面に面材を貼設し、さらにこの面材に外壁材を貼付した構成となっている。また、外壁１２，１２の裏側には、当該外壁１２，１２と所定間隔を隔てて壁パネル１３，１３が設けられている。
【００１８】
また、前記外壁１２，１２と、建物本体１の側面側の外壁１４，１５との間には開口部１６，１７が形成されている。開口部１６は縁側８に通じる開口であり、また、開口部１７は居間３に通じる開口である。これら開口部１６，１７の高さは、それぞれ１階の天井より若干低く設定されている。
前記外壁１２の内側、すなわち、外壁１２と壁パネル１３との間には、それぞれ複数種類の開閉扉２０…が収納されている。これら開閉扉２０…は、前記開口部１６，１７を開閉するもので、外壁１２と平行に水平方向に移動することにより、開口部１６，１７または外壁１２と壁パネル１３との間に選択的に位置して、開口部１６，１７を開閉するようになっている。なお、開閉扉２０…を移動させるには、通常の引き違い扉等と同様に開口部１６，１７の上部に案内溝を形成するとともに、下部にレール等を敷設して、これら案内溝、レールに沿って開閉扉を移動させることにより行なっている。
【００１９】
前記開閉扉２０…の種類としては、化粧扉、板戸、サッシ、障子、カーテン等が挙げられ、図４に示すように、化粧扉２１が最も外側に位置するように配設され、その内側に順に板戸、サッシ、障子、カーテンが配設されている。
化粧扉２１は、図５に示すように、厚さ方向に多数の開口２２…が形成された樹脂板で構成されている。前記開口２２は、正面視正方形状をなしており、その一辺と深さ（樹脂板の厚さ）とがほぼ等しく、例えば４０mm程度に設定されている。樹脂板は、不飽和ポリエステル樹脂、エポキシアクリレート等の樹脂等で形成されている。なお、前記開口２２は正方形に限ることなく、長方形、三角形、六角形、八角形等の多角形であってもよいし、円形、楕円形等の種々の形状であってもよい。
前記化粧扉２１、板戸、サッシ、障子等の開閉扉２０はそれぞれ、数枚の扉片で構成されており、これら扉片を移動させることで、所望の開閉扉２０によって開口部１５，１６を開閉するようになっている。
【００２０】
図２は建物本体１の２階部分を示す平面図であり、当該２階部分には、東側と西側にそれぞれ部屋２５，２６が配設され、これら部屋２５，２６の南側には、バルコニー２７が配設されている。このバルコニー２７と、前記部屋２５，２６との間には、木製の扉２８，２９，３０が設けられている。
前記バルコニー２７の前縁部には、落下防止用のフェンス３１が設けられ、このフェンス３１の前方には、外壁３２，３２が設けられている。該外壁３２，３２は前記１階の外壁１２，１２の延長上に位置するもので、下端部が２階の床パネルに接合され、上端部で屋根を支持するものである。
【００２１】
前記外壁３２，３２の裏側には、当該外壁３２，３２と所定間隔を隔てて壁パネル３３，３３が設けられており、外壁３２，３２と壁パネル３３との間には、それぞれ複数種類の開閉扉３５…が収納されている。これら開閉扉３５…はバルコニー２７の開口部を開閉するもので、外壁３２と平行に水平方向に移動することにより、バルコニー２７の開口部または外壁１２と壁パネル１３との間に選択的に位置して、バルコニー２７の開口部を開閉するようになっている。なお、開閉扉３５…を移動させるには、前記１階の開閉扉２０…と同様に、案内溝、レールに沿って開閉扉３５…を移動させることにより行なっている。
【００２２】
前記開閉扉３５…の種類としては、前記開閉扉２０…と同様に、化粧扉、板戸、サッシ、障子、カーテン等が挙げられ、図４に示すように、化粧扉３６が最も外側に位置するように配設され、その内側に順に板戸、サッシ、障子、カーテンが配設されている。なお、化粧扉３６は１階の化粧扉２１と同様の樹脂板によって形成されている。また、前記化粧扉３６、板戸、サッシ、障子等の開閉扉３５…はそれぞれ、数枚の扉片で構成されており、これら扉片を移動させることで、所望の開閉扉３５によってバルコニー２７の開口部を開閉するようになっている。
【００２３】
上記構成の住宅によれば、１階部分の開閉扉２０…および２階部分の開閉扉３５…のうち、最も外側に位置する化粧扉２１，３６によって、開口部１６，１７およびバルコニー２７の開口部を閉鎖すれば、これら化粧扉２１，３６によって建物本体１の内部が直接見えることがないので、プライバシー性を確保することができるととともに、内部の建具等が直接見えることなく、建物本体１の前面の大部分を占有する開口部１６，１７およびバルコニー２７の開口部が化粧扉２１，３６に覆われて、スッキリとしたデザインとなり、住宅としての外観意匠性を高めることができる。また、化粧扉２１，３６は、厚さ方向に貫通する多数の細かい開口２２が形成された樹脂板で形成されているので、化粧扉２１，３６によって開口部を閉鎖することにより、通風性、採光性および防犯性を十分に確保することができる。
【００２４】
また、化粧扉２１（３５）、板戸、サッシ、障子、カーテン等で構成される開閉扉２０（３５）のうち、必要に応じた開閉扉を選択して開口部を閉鎖することによって、建物本体１の前部の表情が豊かなものとなるとともに、該開口部において、通風性、防風雨性、採光性、遮光性、防犯性等の機能を適宜確保することができる。例えば、化粧扉２１（３５）のみを選択すれば、上述したように、通風性、採光性、防犯性を確保でき、化粧扉２１（３５）とサッシを選択すれば、採光性、防風雨性、防犯性を確保でき、化粧扉２１（３５）と障子を選択すれば、採光性、防犯性を確保でき、化粧扉２１（３５）とカーテンを選択すれば、遮光性、通風性、防犯性を確保でき、化粧扉２１（３５）と板戸を選択すれば、防風雨性、遮光性、防犯性を確保できる。また、化粧扉２１（３５）は外壁の内側に収納しておき、板戸、サッシ、障子、カーテンのうちから所望の開閉扉を１種類または２種類以上適宜選択することによって、それぞれの開閉扉が有する各機能を確保することができる。さらに、全ての開閉扉を建物本体の外壁の内側に収納することにより、開口部が完全に開放した状態となり、採光性、通風性を最大限に確保することができる。
【００２５】
また、バルコニー２７の開口部を適宜選択された開閉扉３５…によって閉鎖することによって、バルコニー領域が外部とは遮断された部屋となり、この部屋をバルコニー以外の目的で使用することができる。例えば、バルコニー２７の開口部をサッシによって閉鎖すれば、バルコニー領域を通常の部屋として使用することができ、また、この部屋と、当該部屋に隣接する部屋２５，２６とを連通させることにより、新たな広い部屋として使用することができる。
【００２６】
図６から図９は本発明の住宅の第２実施例を示すものである。
建物本体１の１階部分には、図６に示すように、北側に、キッチン２ａ、階段１０、洗面所５、浴室４、トイレ６が配設され、南西側には玄関１１が配設されている。キッチン２ａの南側には、リビング４０が配設され、このリビング４０の西側に和室４１が配設されている。なお、浴室４、トイレ６、玄関１１は下屋の下方に配設されている。
【００２７】
図７は建物本体１の２階部分を示す平面図であり、当該２階部分には、３つの部屋４２，４３，４４が配設されている。部屋４３，４４の南側にはバルコニー４５が配設されており、このバルコニー４５と部屋４３，４４との間には木製の扉４６，４７が設けられている。また、バルコニー４５の前縁部には落下防止のためのフェンス４８が設けられている。
【００２８】
前記建物本体１の前面には、図８に示すように、その左右側部に１階から２階まで延びる外壁５０，５０が設けられている。これら外壁５０，５０の裏側には、図６および図７に示すように、壁パネル５１，５１が外壁５０，５０と所定間隔を隔てて設けられており、これら外壁５０，５０と壁パネル５１，５１との間には、１階部分に複数種類の開閉扉５２…が、２階部分に複数種類の開閉扉５３…が収納されている。これら開閉扉５２…および開閉扉５３…は、それぞれ、外壁５０と平行に水平方向に移動することにより、１階のリビング４０の南側の開口部５４と、２階のバルコニー４５の開口部を開閉するようになっている。なお、開閉扉５２および５３を移動させるには、前記第１実施例の住宅における開閉扉２０…と同様に、案内溝、レール等を使用して行なう。
【００２９】
開閉扉５２，５３の種類としては、前記開閉扉２０…と同様に、化粧扉、板戸、サッシ、障子、カーテン等が挙げられ、化粧扉５５，５６が最も外側に位置するように配設され、その内側に順に板戸、サッシ、障子、カーテンが配設されている。なお、化粧扉５５，５６は第１実施例の化粧扉２１と同様の樹脂板によって形成されている。また、前記化粧扉５５，５６、板戸、サッシ、障子等の開閉扉５５，５６はそれぞれ、数枚の扉片で構成されており、これら扉片を移動させることで、所望の開閉扉によって、１階の開口部５４、２階のバルコニー４５の開口部を開閉するようになっている。
【００３０】
また、１階の開閉扉５２は、図９に示すように、その上縁部がバルコニー４５の床部４５ａの下面に移動自在に支持され、下縁部が１階の床面５７より前方下側に形成された支持台５８に移動自在に支持されている。したがって、１階の開閉扉５２は、その下縁部が１階の床面５７より下方に位置することになる。このように、開閉扉５２の下縁部を床面５７より下方に位置させ、この開閉扉５２によって１階のリビング４０の開口部を開閉するように構成すれば、１階の床面５７の外縁部にサッシ枠等の部材を設ける必要がないので、床面５７の外縁部を平らにしてスッキリさせることができ、リビング４０への外側からの出入りがスムーズになるとともに、床面５７の外縁部に埃等が溜るこがなく、掃除が楽になるという利点がある。
【００３１】
なお、本実施例では、前記第１実施例と同様の効果を得ることができるのは勿論のこと、外壁５０，５０を建物本体１の前部の左右両側部に設け、これら外壁５０，５０の裏側に開閉扉５２，５３を収納可能に構成したので、開閉扉５２，５３を収納することにより、建物本体１の前面中央部に大きな開口部を得ることができ、より開放感の高い住宅となる。
【００３２】
【発明の効果】
以上説明したように、本発明の住宅によれば以下のような優れた効果を奏する。
請求項１の住宅によれば、建物本体に形成された開口部を、複数種類の開閉扉から適宜選択された開閉扉によって閉鎖することによって、開閉扉の種類に応じた、建物としての表情を表現することができる。
また、開閉扉によって開口部を閉鎖することによって、建物本体内部が直接見えることがないのでプレイバシー性を確保できるとともに、内部の建具等が直接見えることがないので、外観意匠性を高めることもできる。
さらに、全ての開閉扉を建物本体の外壁の内側に収納することにより、開口部が完全に開放した状態となり、採光性、通風性を最大限に確保することができる。
【００３３】
請求項２記載の住宅によれば、バルコニーの開口部を開閉扉によって閉鎖することによって、バルコニー領域が外部とは遮断された部屋となり、この部屋をバルコニー以外の目的で使用することができる。
また、この開口部が閉鎖されたバルコニーと、当該バルコニーに隣接する部屋とを連通させることにより、新たな広い部屋として使用することができる。
【００３４】
請求項３記載の住宅によれば、複数種類の開閉扉のうち、最も外側に位置する開閉扉を、厚さ方向に貫通する多数の細かい開口またはスリットが形成された化粧扉で構成したので、この化粧扉で窓等の開口部を閉鎖することによって、建物本体内部が外側からは直接見えないのは勿論のこと、前記開口またはスリットによって、通風性、採光性を十分に確保することができ、しかも、前記開口部が化粧壁によって覆われて、スッキリとしたデザインとなり、住宅としての外観意匠性を高めることができる。
【００３５】
請求項４記載の住宅によれば、前記複数種類の開閉扉を、厚さ方向に貫通する多数の細かい開口またはスリットが形成された化粧扉と、サッシ、障子、カーテン、板戸のうちの少なくとも１種類の開閉扉とで構成したので、必要に応じて適宜開閉扉を選択して開口部を開閉することによって、当該開口部において、通風性、防風雨性、採光性、遮光性、防犯性等の機能を適宜確保することができる。
【００３６】
請求項５記載の住宅によれば、１階部分の開口部を開閉する開閉扉の下縁部を、１階の床面より下方に位置させたので、当該床面の外縁部にサッシ枠等の部材を設ける必要がない。したがって、床面の外縁部を平らにしてスッキリさせることができ、外側からの出入りがスムーズになるとともに、床面の外縁部に埃等が溜るこがなく、掃除が楽になる。
【図面の簡単な説明】
【図１】本発明の住宅の第一実施例を示すもので、１階の平面図である。
【図２】同、２階の平面図である。
【図３】同、開閉扉を開放した状態の建物本体を示す正面図である。
【図４】同、開閉扉によって閉鎖した状態の建物本体を示す正面図である。
【図５】第一実施例の住宅の化粧扉の要部を示す斜視図である。
【図６】本発明の住宅の第二実施例を示すもので、１階の平面図である。
【図７】同、２階の平面図である。
【図８】同、開閉扉によって閉鎖した状態の建物本体を示す正面図である。
【図９】同、開閉扉によって閉鎖した状態の建物本体の要部の側断面図である。
【符号の説明】
１  建物本体
１２，３２，５０  外壁
１６，１７，５４  開口部
２０，３５，５２，５３  開閉扉
２１，３６，５５，５６  化粧扉
２７，４５  バルコニー
５７  １階の床面
【図１】
0003668753.tif 000002
【図２】
0003668753.tif 000003
【図３】
0003668753.tif 000004
【図４】
0003668753.tif 000005
【図５】
0003668753.tif 000006
【図６】
0003668753.tif 000007
【図７】
0003668753.tif 000008
【図８】
0003668753.tif 000009
【図９】
0003668753.tif 000010